【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置であって、
操作情報を、ウィスパリングを強制終了する操作情報と強制終了しない操作情報に分類した分類情報を管理している操作情報分類管理手段と、
ウィスパリングによる情報提供中に、上記着信側電話装置若しくは他の電話装置からの操作情報が到来したとき、その操作情報が、ウィスパリングを強制終了する操作情報か強制終了しない操作情報かを判断し、判断結果がウィスパリングを強制終了する操作情報であるならば、ウィスパリングを強制終了して操作情報に係る動作を実行させ、判断結果がウィスパリングを強制終了しない操作情報であるならば、その操作情報を拒否するウィスパリング強制終了制御手段と
を有することを特徴とする通信制御装置。
【請求項２】
上記発信側電話装置と上記着信側電話装置との呼を切断させる切断操作情報を、ウィスパリングを強制終了する操作情報として管理していることを特徴とする請求項１に記載の通信制御装置。
【請求項３】
上記着信側電話装置から他の電話装置へ転送させる転送操作情報を、ウィスパリングを強制終了する操作情報として管理していることを特徴とする請求項１又は２に記載の通信制御装置。
【請求項４】
上記発信側電話装置及び上記着信側電話装置間の授受信号をモニタすることを求める、上記他の電話装置からの操作情報を、ウィスパリングを強制終了しない操作情報として管理していることを特徴とする請求項１〜３のいずれかに記載の通信制御装置。
【請求項５】
ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないウィスパリング実行有無判断手段をさらに有することを特徴とする請求項１〜４のいずれかに記載の通信制御装置。
【請求項６】
発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御方法であって、
操作情報分類管理手段が、操作情報を、ウィスパリングを強制終了する操作情報と強制終了しない操作情報に分類した分類情報を管理し、
ウィスパリング強制終了制御手段が、ウィスパリングによる情報提供中に、上記着信側電話装置若しくは他の電話装置からの操作情報が到来したとき、その操作情報が、ウィスパリングを強制終了する操作情報か強制終了しない操作情報かを判断し、判断結果がウィスパリングを強制終了する操作情報であるならば、ウィスパリングを強制終了して操作情報に係る動作を実行させ、判断結果がウィスパリングを強制終了しない操作情報であるならば、その操作情報を拒否する
ことを特徴とする通信制御方法。
【請求項７】
発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置に搭載されたコンピュータを、
操作情報を、ウィスパリングを強制終了する操作情報と強制終了しない操作情報に分類した分類情報を管理している操作情報分類管理手段と、
ウィスパリングによる情報提供中に、上記着信側電話装置若しくは他の電話装置からの操作情報が到来したとき、その操作情報が、ウィスパリングを強制終了する操作情報か強制終了しない操作情報かを判断し、判断結果がウィスパリングを強制終了する操作情報であるならば、ウィスパリングを強制終了して操作情報に係る動作を実行させ、判断結果がウィスパリングを強制終了しない操作情報であるならば、その操作情報を拒否するウィスパリング強制終了制御手段と
して機能させることを特徴とする通信制御プログラム。
【請求項８】
発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置であって、
ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないウィスパリング実行有無判断手段を有することを特徴とする通信制御装置。
【請求項９】
発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御方法であって、
ウィスパリング実行有無判断手段が、ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないことを特徴とする通信制御方法。
【請求項１０】
発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置に搭載されたコンピュータを、
ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないウィスパリング実行有無判断手段として機能させることを特徴とする通信制御プログラム。
【手続補正２】
【補正対象書類名】明細書
【補正対象項目名】０００８
【補正方法】変更
【補正の内容】
【０００８】
第１の本発明は、発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置であって、（１）操作情報を、ウィスパリングを強制終了する操作情報と強制終了しない操作情報に分類した分類情報を管理している操作情報分類管理手段と、（２）ウィスパリングによる情報提供中に、上記着信側電話装置若しくは他の電話装置からの操作情報が到来したとき、その操作情報が、ウィスパリングを強制終了する操作情報か強制終了しない操作情報かを判断し、判断結果がウィスパリングを強制終了する操作情報であるならば、ウィスパリングを強制終了して操作情報に係る動作を実行させ、判断結果がウィスパリングを強制終了しない操作情報であるならば、その操作情報を拒否するウィスパリング強制終了制御手段とを有することを特徴とする。
【手続補正３】
【補正対象書類名】明細書
【補正対象項目名】０００９
【補正方法】変更
【補正の内容】
【０００９】
第２の本発明は、発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御方法であって、（１）操作情報分類管理手段が、操作情報を、ウィスパリングを強制終了する操作情報と強制終了しない操作情報に分類した分類情報を管理し、（２）ウィスパリング強制終了制御手段が、ウィスパリングによる情報提供中に、上記着信側電話装置若しくは他の電話装置からの操作情報が到来したとき、その操作情報が、ウィスパリングを強制終了する操作情報か強制終了しない操作情報かを判断し、判断結果がウィスパリングを強制終了する操作情報であるならば、ウィスパリングを強制終了して操作情報に係る動作を実行させ、判断結果がウィスパリングを強制終了しない操作情報であるならば、その操作情報を拒否することを特徴とする。
【手続補正４】
【補正対象書類名】明細書
【補正対象項目名】００１０
【補正方法】変更
【補正の内容】
【００１０】
第３の本発明の通信制御プログラムは、発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置に搭載されたコンピュータを、（１）操作情報を、ウィスパリングを強制終了する操作情報と強制終了しない操作情報に分類した分類情報を管理している操作情報分類管理手段と、（２）ウィスパリングによる情報提供中に、上記着信側電話装置若しくは他の電話装置からの操作情報が到来したとき、その操作情報が、ウィスパリングを強制終了する操作情報か強制終了しない操作情報かを判断し、判断結果がウィスパリングを強制終了する操作情報であるならば、ウィスパリングを強制終了して操作情報に係る動作を実行させ、判断結果がウィスパリングを強制終了しない操作情報であるならば、その操作情報を拒否するウィスパリング強制終了制御手段として機能させることを特徴とする。
【手続補正５】
【補正対象書類名】明細書
【補正対象項目名】００１１
【補正方法】変更
【補正の内容】
【００１１】
第４の本発明は、発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置であって、ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないウィスパリング実行有無判断手段を有することを特徴とする。
【手続補正６】
【補正対象書類名】明細書
【補正対象項目名】００１２
【補正方法】変更
【補正の内容】
【００１２】
第５の本発明は、発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御方法であって、ウィスパリング実行有無判断手段が、ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないことを特徴とする。
【手続補正７】
【補正対象書類名】明細書
【補正対象項目名】００１３
【補正方法】変更
【補正の内容】
【００１３】
第６の本発明の通信制御プログラムは、発信側電話装置からの発信信号を受信して、発信側電話装置と着信側電話装置との音声パスを確立する前に、発信側電話装置に関わる情報を音声信号によって着信側電話装置に提供するウィスパリングを実行する通信制御装置に搭載されたコンピュータを、ウィスパリングを実行する前に、上記発信側電話装置が音声パスの確立を待ち受けている発信側待ち時間と閾値待ち時間とを比較し、発信側待ち時間が閾値待ち時間以上ならば、ウィスパリングを実行させないウィスパリング実行有無判断手段として機能させることを特徴とする。